(57)【要約】【課題】  移動無線電話装置が特定のエリアに入ったときに、移動電話回線網とは異なる通信網に接続されている記憶設備に蓄積された個別情報を、通信網を通して移動無線電話装置に送り、移動無線電話装置の表示器に表示することが可能な移動無線電話システムおよび装置を実現する。【解決手段】  無線基地局を介して移動電話回線網とは異なる通信網に接続して、移動無線電話装置から無線基地局に送信される位置登録信号によって、通信網に接続されているデータ蓄積装置内の個別情報要求信号をエリア識別情報とともに通信網に送出し、データ蓄積装置から基地局を介して移動無線電話装置に送られた個別情報を、移動無線電話装置の表示器で表示する。【選択図】  図３
2006319931.tif 000002
【特許請求の範囲】
【請求項１】
電話回線に接続された無線基地局と、当該電話回線と通信回線を介して接続されるデータ蓄積装置と、当該無線基地局との通信を行う移動無線電話装置を有し、
当該移動無線電話装置は、当該無線基地局と通信を行う通信制御手段と、通信により得た特定情報を表示する表示手段を備え、当該基地局は自身の識別情報を電話回線に送出する手段を備え、
当該移動無線電話装置は、当該無線基地局の通信範囲内に入った場合に位置登録動作を行うための通信を当該無線基地局と行い、自身の識別情報を電話回線に送出し、当該無線基地局は、当該移動無線電話装置の識別情報と、自身の識別情報を電話回線に送出し、当該無線基地局の識別情報に基づいて選択される当該データ蓄積装置からの特定情報を、当該移動無線電話装置に送出し、当該移動無線電話装置は特定情報を当該表示手段で表示することを特徴とする無線電話システム。
【請求項２】
無線基地局に記憶装置を備え、特定情報をあらかじめ当該記憶装置に記憶して、当該特定情報を移動無線電話装置に送出することを特徴とする特許請求範囲（１）の無線電話システム。
【請求項３】
データ蓄積装置に移動無線電話装置の識別情報毎に、特定情報の送出回数を計数する計数装置を備えることを特徴とする特許請求範囲（１）の移動無線電話システム。
【請求項４】
無線基地局に移動無線電話装置の識別情報毎に、特定情報の送出回数を計数する計数装置を備えることを特徴とする特許請求範囲（２）の移動無線電話システム。
【発明の詳細な説明】
【技術分野】
【０００１】  本発明は移動無線電話システムの構成に係わり、特に特定の場所の無線基地局の通信範囲に移動無線電話装置が入って位置登録動作を行った場合に、この移動無線電話装置に特定情報の表示を行うためのシステムに関するものである。
【背景技術】
【０００２】  従来、移動無線電話装置がこれまでと異なる特定の基地局あるいは一定のエリアに入った場合、その存在場所を移動電話回線網に知らせるため、基地局と通信を行い位置登録動作を行う。位置登録動作では、移動無線電話装置はその識別情報を基地局を介して移動電話回線網に知らせる。移動電話回線網側では位置登録情報に基づいて着信呼出を行うべきエリアあるいは基地局を特定する。このように移動無線電話装置の識別情報とその存在エリア情報は着信呼出を行うために用いられていた。位置登録動作は特に移動無線電話装置の使用者による手動操作は必要なく、自動的に行われる。一方、移動無線電話装置に備えた表示設備に表示する情報はあらかじめ移動無線電話装置内の記憶設備に蓄積された情報を、移動無線電話装置の設備、例えばキーパッドを手動操作することにより表示する。手動操作によらない場合としては、着信時に着信状態を表示するときがある。また、移動無線電話装置内に蓄積された情報以外を表示する場合として、着信時に移動電話回線網から送られてくる発信者番号情報を表示するときがある。【０００３】  移動無線電話装置が特定のエリアに入ったときに、操作者に移動無線電話装置内の記憶設備に蓄積された情報意外の特定の情報を知らせようとするには、上述のこれまでのシステムでは実現ができない。
【発明の開示】
【発明が解決しようとする課題】
【０００４】  移動無線電話装置が特定のエリアに入ったときに、移動無線電話装置の操作者に個別の情報を通知することにより、特定エリア毎に利便性のあるサービスを提供することが可能となる。エリア毎のサービスは特に移動電話サービスと直接関係しないため個別の情報は移動電話回線網とは異なる通信網に接続されている。エリア毎に異なる個別の情報を選択できる必要がある。移動無線電話装置が特定のエリアに入ったことは、無線基地局から送信される下り制御信号の中に含まれるエリア情報を移動無線電話装置が読み取り、これまで待ち受けていた無線基地局からのエリア情報と比較することで、異なるエリアに入ったことを判断できる。移動無線電話装置は異なるエリアに入ったことを判断して、無線基地局に対して無線通信回線接続を起動して位置登録情報を送信することとなる。この位置登録動作に伴って、エリア毎の個別の情報を移動無線電話装置が取得できるようにする必要がある。【０００５】  本発明は上記課題を解決し、特定のエリアに入った移動無線電話装置にエリア個別の情報の通知を実現することを目的とする。
【課題を解決するための手段】
【０００６】  上記目的を達成するため、本発明では、移動無線電話装置が無線基地局を介して、移動電話回線網とは異なる通信網に接続して個別の情報を取得し、表示設備で表示を行う。図１は無線基地局と通信網との接続例を示したもので、無線基地局は移動電話回線網を介して別の通信回線網に接続されており、通信回線網に接続されたデータ蓄積装置内の情報を取得できるように作られる。当該情報の取得は移動電話回線網を介して行う場合と図２に示す例のように基地局と通信網が直接接続される場合もある。移動無線電話装置から無線基地局に送信される位置登録信号によって、基地局は自局のエリア識別情報とデータ蓄積装置内の個別情報要求信号を、移動電話回線網を介すかあるいは直接通信網を介してデータ蓄積装置に送出する。データ蓄積装置は、個別情報要求信号を受けることで、基地局のエリア識別情報に基づいて個別情報を通信網および移動電話回線網を介して送出する。限られたある一定エリア内に入った移動電話装置の操作者に通知したい情報がある場合、データ蓄積装置にエリアの識別情報と通知しようとする情報を蓄積しておく。エリアの識別情報と通知しようとする情報は対になっており、エリアが異なる毎に異なる情報を蓄積している。無線基地局はデータ蓄積装置から情報を取得するにあたって自局のエリア情報をデータ蓄積装置に通知し、データ蓄積装置は通知されたエリア情報と対になる個別情報を蓄積された情報の中から選択して無線基地局側に送出する。【０００７】  無線基地局は自局と通信可能な移動局に対して制御信号を常に送信している。制御信号の中に自局のエリアを示す情報が含まれている。移動局は自身がどこのエリアにいるかこの情報を受信することで判断できる。【０００８】  移動局は異なるエリアに自局が入ったと判断し、新たな情報を取得する必要が生じた場合に、基地局に対して通信を開始する。移動局は基地局に対して新たな情報の取得要求信号を送り、基地局がデータ蓄積装置から取得した個別情報を下り無線通信回線を介して移動局に送る。個別情報を受信した移動局は当該情報を表示器に表示する。
【発明の効果】
【０００９】  本発明は、以上述べたように特定のエリアに入った移動無線電話装置に、そのエリア個別の情報を表示することが可能となる。
【発明を実施するための最良の形態】
【００１０】  以下、本発明の実施形態について図面を参照して説明する。
【実施例１】
【００１１】  図３は本発明の実施例を示したもので、移動局からの上り無線信号内の位置登録要求信号を無線基地局は受信し、通信網に接続されているデータ蓄積装置に対してエリア情報を送り、個別情報の取得要求を行う。無線基地局から通信網に対して送られるデータには、データ蓄積装置のアドレスを示すデータと基地局のエリア情報と移動無線電話装置の識別情報が含まれる。データ蓄積装置はこれらの情報に基づいて蓄積されているデータの中から個別の情報を取り出し、通信網を介して無線基地局に送る。データ蓄積装置から通信網に送られるデータには、無線基地局のアドレスを示すデータと選択した個別情報と移動無線電話装置の識別情報が含まれる。無線基地局は送られてきたデータの移動無線電話装置の識別情報に基づいて、当該移動無線電話装置に対して個別方法をアンテナから下り無線信号として送信する。移動無線電話装置は下り無線信号で送られた個別情報を表示器に表示する。
【実施例２】
【００１２】  図４は本発明請求項目３の実施例を示したもので、移動局からの位置登録要求信号を無線基地局は受信し、通信網に接続されているデータ蓄積装置に対してエリア情報を送り、個別情報の取得要求を行う。無線基地局から通信網に対して送られるデータには、データ蓄積装置のアドレスを示すデータと基地局のエリア情報と移動無線電話装置の識別情報が含まれる。データ蓄積装置はこれらの情報に基づいて蓄積されているデータの中から個別の情報を取り出し、通信網を介して無線基地局に送る。データ蓄積装置内には移動無線電話装置毎に登録動作の累積回数をカウントする計数装置を備え、登録動作の回数をカウントする。データ蓄積装置から通信網に送られるデータには、無線基地局のアドレスを示すデータと選択した個別情報と移動無線電話装置の識別情報および累積カウント数が含まれる。無線基地局は送られてきたデータの移動無線電話装置の識別情報に基づいて、当該移動無線電話装置に対して個別方法および累積カウント数を送信する。
【実施例３】
【００１３】  図５は本発明の移動無線電話装置の実施例を示したもので、アンテナで受信された信号はスイッチを通り、ＲＦ増幅器で増幅され、第一の周波数変換器によって周波数シンセサイザから発生されるローカル信号と乗算されて第一の中間周波数に周波数変換される。さらにＢＰＦを通って第二のローカル発信器からの信号と乗算されて第二の中間周波数に変換して、復調器で復調されてディジタルデータとしてチャネルコーデックに入力される。チャネルコーデックでは同期データ等を含むディジタルデータの中から本来必要な情報を取り出す。電話による音声通信の場合にはチャネルコーデックから取り出した音声データは音声コーデックに入力されて、アナログ音声信号に変換されて、スピーカから音声が出力される。一方、マイクからの音声信号は音声コーデックでディジタル信号に変換されてチャネルコーデックでその他のデータが付加されて変調器で変調される。変調器には第二のローカル信号が加えられる。変調器で変調された信号は周波数変換回路で第一のローカル信号と乗算されてＢＰＦを通った後に、電力増幅器で増幅されて、アンテナスイッチを通してアンテナから送信される。【００１４】  無線基地局から送られるエリア情報はチャネルコーデックで取り出され、受信制御データとして制御回路に送られる。制御回路は受信制御データを受けて、制御動作を行う。受信したエリア情報は記憶回路に保持されており、新に受信されたエリア情報がこれまで保持されているエリア情報と異なる場合には、記憶回路に保持するエリア情報を更新するとともに、制御回路は位置登録動作を起動する。位置登録動作で送信するデータは制御回路から制御データとしてチャネルコーデックに送られ、その他の同期データ等が付け加えられ送信データとして送られ、変調器で変調される。変調器には第二のローカル信号が加えられる。変調器で変調された信号は周波数変換回路で第一のローカル信号と乗算されてＢＰＦを通った後に、電力増幅器で増幅されて、アンテナスイッチを通してアンテナから送信される。【００１５】  位置登録動作に伴って、データ蓄積装置から無線基地局を介して送られたデータは、前述の音声データ受信と同様な受信を行い、チャネルコーデックで制御データとして制御回路に送られる。制御回路に送られた個別情報データは記憶回路内に一時的に保持され、表示設備であるＬＣＤ表示器にデータを送り、表示を行う。
【図面の簡単な説明】
【００１６】
【図１】無線基地局と通信網との接続例を示した図。
【図２】無線基地局と通信網が直接接続される例を示した図。
【図３】本発明の実施例を示した図。
【図４】本発明請求項目３の実施例を示した図。
【図５】本発明の移動無線電話装置の実施例を示した図。
【符号の説明】
【００１７】１１：データ蓄積装置、１２：通信網、１３：移動通信網、１４：無線基地局、１５：アンテナ、１６：下り無線信号、１７：上り無線信号
２１：データ蓄積装置、２２：通信網、２３：移動通信網、２４：無線基地局、２５：アンテナ、２６：下り無線信号、２７：上り無線信号
３１：データ蓄積装置、３２：通信網、３３：移動通信網、３４：無線基地局、３５：アンテナ、３６：下り無線信号、３７：上り無線信号、３８：移動無線電話装置、３９：表示器
４１：計数装置、４２：データ蓄積装置、４３：通信網、４４：移動通信網、４５：無線基地局、４６：アンテナ、４７：下り無線信号、４８：上り無線信号、４９：移動無線電話装置
５１：アンテナ、５２：スイッチ、５３：ＲＦ増幅器、５４：周波数変換器、５５：周波数シンセサイザ、５６：ＢＰＦ、５７：周波数変換器、５８：ローカル発振器、５９：復調器、６０：受信データ、６１：チャネルコーデック、６２：音声データ、６３：音声コーデック、６４：スピーカ、６５：マイク、６６：音声データ、６７：受信制御データ、６８：送信制御データ、６９：制御回路、７０：記憶回路、７１：キーパッド、７２：ＬＣＤ表示器、７３：送信データ、７４：変調器、７５：周波数変換器、７６：ＢＰＦ、７７：電力増幅器
【図１】
2006319931.tif 000003
【図２】
2006319931.tif 000004
【図３】
2006319931.tif 000005
【図４】
2006319931.tif 000006
【図５】
2006319931.tif 000007